(57)【要約】  制御装置（１１）が、第１の搬送波の時間フレームにおけるフレーム間のタイミングで、第１の無線信号に割り当てる通信リソース量の割当決定処理を開始し、その時間フレームにおけるフレーム間のタイミングから遅延時間が経過したタイミングで、第２の無線信号に割り当てる通信リソース量の割当決定処理を開始するように構成する。
2017183240.tif 000002
【特許請求の範囲】
【請求項１】
第１の無線信号に割り当てる第１の通信リソース量を決定するとともに、第２の無線信号に割り当てる第２の通信リソース量を決定する制御装置と、
第１の搬送波を用いて、前記制御装置により決定された第１の通信リソース量に対応するデータサイズ分の情報データを含む第１の無線信号を移動端末に送信するとともに、第２の搬送波を用いて、前記制御装置により決定された第２の通信リソース量に対応するデータサイズ分の情報データを含む第２の無線信号を前記移動端末に送信する基地局とを備え、
前記制御装置は、前記第１の搬送波の時間フレームにおけるフレーム間のタイミングで、前記第１の通信リソース量の割当決定処理を開始し、前記時間フレームにおけるフレーム間のタイミングから遅延時間が経過したタイミングで、前記第２の通信リソース量の割当決定処理を開始することを特徴とする基地局装置。
【請求項２】
前記第１の搬送波の時間フレームにおけるフレーム間のタイミングからの遅延時間を設定し、前記時間フレームにおけるフレーム間のタイミングから前記遅延時間が経過したタイミングを、前記第２の搬送波の時間フレームにおけるフレーム間のタイミングとして前記基地局に知らせるタイミング遅延部を備え、
前記基地局は、前記タイミング遅延部により知らされたタイミングを示すタイミング信号を前記制御装置に出力し、
前記制御装置は、前記基地局から出力されたタイミング信号が示すタイミングで、前記第２の通信リソース量の割当決定処理を開始することを特徴とする請求項１記載の基地局装置。
【請求項３】
前記第１の搬送波の時間フレームにおけるフレーム間のタイミングからの遅延時間を設定し、前記時間フレームにおけるフレーム間のタイミングから前記遅延時間が経過したタイミングを、前記第２の搬送波の時間フレームにおけるフレーム間のタイミングとして前記制御装置に知らせるタイミング遅延部を備え、
前記制御装置は、前記タイミング遅延部により知らされたタイミングで、前記第２の通信リソース量の割当決定処理を開始することを特徴とする請求項１記載の基地局装置。
【請求項４】
前記制御装置は、前記移動端末に送信する情報データの許容遅延時間が第１の遅延時間であれば、当該情報データを前記第１の無線信号に含め、前記移動端末に送信する情報データの許容遅延時間が第１の遅延時間より長い第２の遅延時間であれば、当該情報データを前記第２の無線信号に含めることを特徴とする請求項１記載の基地局装置。
【請求項５】
前記制御装置は、前記移動端末における第１の無線信号及び第２の無線信号の受信品質を示す情報を取得し、前記第１の無線信号の受信品質にしたがって前記第１の通信リソース量を決定するとともに、前記第２の無線信号の受信品質にしたがって前記第２の通信リソース量を決定することを特徴とする請求項１記載の基地局装置。
【請求項６】
第１の無線信号に割り当てる第１の通信リソース量を決定するとともに、第２の無線信号に割り当てる第２の通信リソース量を決定する制御装置と、
第１の搬送波を用いて、前記制御装置により決定された第１の通信リソース量に対応するデータサイズ分の情報データを含む第１の無線信号を送信するとともに、第２の搬送波を用いて、前記制御装置により決定された第２の通信リソース量に対応するデータサイズ分の情報データを含む第２の無線信号を送信する基地局と、
前記基地局から送信された第１の無線信号及び第２の無線信号を受信する移動端末とを備え、
前記制御装置は、前記第１の搬送波の時間フレームにおけるフレーム間のタイミングで、前記第１の通信リソース量の割当決定処理を開始し、前記時間フレームにおけるフレーム間のタイミングから遅延時間が経過したタイミングで、前記第２の通信リソース量の割当決定処理を開始することを特徴とする移動通信システム。
【請求項７】
前記第１の搬送波の時間フレームにおけるフレーム間のタイミングからの遅延時間を設定し、前記時間フレームにおけるフレーム間のタイミングから前記遅延時間が経過したタイミングを、前記第２の搬送波の時間フレームにおけるフレーム間のタイミングとして前記基地局に知らせるタイミング遅延部を備え、
前記基地局は、前記タイミング遅延部により知らされたタイミングを示すタイミング信号を前記制御装置に出力し、
前記制御装置は、前記基地局から出力されたタイミング信号が示すタイミングで、前記第２の無線信号に割り当てる通信リソース量の割当決定処理を開始することを特徴とする請求項６記載の移動通信システム。
【請求項８】
前記第１の搬送波の時間フレームにおけるフレーム間のタイミングからの遅延時間を設定し、前記時間フレームにおけるフレーム間のタイミングから前記遅延時間が経過したタイミングを、前記第２の搬送波の時間フレームにおけるフレーム間のタイミングとして前記制御装置に知らせるタイミング遅延部を備え、
前記制御装置は、前記タイミング遅延部により知らされたタイミングで、前記第２の無線信号に割り当てる通信リソース量の割当決定処理を開始することを特徴とする請求項６記載の移動通信システム。
【請求項９】
前記制御装置は、前記移動端末に送信する情報データの許容遅延時間が第１の遅延時間であれば、当該情報データを前記第１の無線信号に含め、前記移動端末に送信する情報データの許容遅延時間が第１の遅延時間より長い第２の遅延時間であれば、当該情報データを前記第２の無線信号に含めることを特徴とする請求項６記載の移動通信システム。
【請求項１０】
前記制御装置は、前記移動端末における第１の無線信号及び第２の無線信号の受信品質を示す情報を取得し、前記第１の無線信号の受信品質にしたがって前記第１の通信リソース量を決定するとともに、前記第２の無線信号の受信品質にしたがって前記第２の通信リソース量を決定することを特徴とする請求項６記載の移動通信システム。
【発明の詳細な説明】
【技術分野】
【０００１】
この発明は、移動端末と無線通信を行う基地局装置と、移動端末及び基地局装置を備えた移動通信システムとに関するものである。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）の標準化仕様には、複数の要素周波数帯域であるコンポーネントキャリア（ＣＣ：Ｃｏｍｐｏｎｅｎｔ  Ｃａｒｒｉｅｒ）を束ねて、無線信号の通信を行うキャリアアグリゲーション（ＣＡ：Ｃａｒｒｉｅｒ  Ａｇｇｒｅｇａｔｉｏｎ）が規定されている。
キャリアアグリゲーションでは、複数のコンポーネントキャリアを用いて、複数の無線信号を同時に送信するため、スループットが向上する。【０００３】
基地局と移動端末の通信をキャリアアグリゲーションで行う場合、異なる周波数帯域の搬送波として、複数のセル（Ｃｅｌｌ）が用いられる。
複数のセルは、２種類のセルに分類されることがあり、２種類のセルのうち、例えば、一方のセルは、プライマリセル（ＰＣｅｌｌ：Ｐｒｉｍａｒｙ  Ｃｅｌｌ）と呼ばれ、他方のセルは、セカンダリセル（ＳＣｅｌｌ：Ｓｅｃｏｎｄａｒｙ  Ｃｅｌｌ）と呼ばれることがある。【０００４】
基地局と移動端末は、プライマリセル及びセカンダリセル上の時間フレームで無線信号の通信を実施する。
１つの時間フレームは、複数のサブフレームに分割され、各々のサブフレームには、データチャネルや制御チャネルなどの物理チャネルが配置される。
データチャネルは、情報データの送受信に用いられ、制御チャネルは、制御情報の送受信に用いられる。
例えば、基地局から移動端末に送信される下りのサブフレーム内の制御チャネルには、無線信号に割り当てられる通信リソース量を示す制御情報が配置され、また、同じサブフレーム内のデータチャネルには、当該通信リソース量に対応するデータサイズ分の情報データが配置される。
例えば、以下の特許文献１には、無線信号に割り当てる通信リソース量を決定する割当決定処理が開示されている。【０００５】
プライマリセル上の時間フレームと、セカンダリセル上の時間フレームとが同期している場合と、同期していない場合とがある。
時間フレームが同期している場合には、時間フレームにおける各フレーム間のタイミングである境界タイミングや、時間フレームのフレーム番号が一致しており、時間フレームが同期していない場合には、時間フレームの境界タイミングやフレーム番号が一致していない。
プライマリセルとセカンダリセルが１つの基地局に収容される場合、一般的に、プライマリセル上の時間フレームと、セカンダリセル上の時間フレームとが同期している。
プライマリセルとセカンダリセルが異なる基地局に収容される場合、一般的には、プライマリセル上の時間フレームと、セカンダリセル上の時間フレームとが非同期であるが、異なる基地局に対して、同一の基準タイミングを与えることで、プライマリセル上の時間フレームと、セカンダリセル上の時間フレームとを同期させることも可能である。
【先行技術文献】
【特許文献】
【０００６】
【特許文献１】特開２０１４−１８３４０９号公報
【発明の概要】
【発明が解決しようとする課題】
【０００７】
従来の移動通信システムは以上のように構成されているので、プライマリセル上の時間フレームと、セカンダリセル上の時間フレームとが同期している場合、一般的には、制御装置が、プライマリセル上の時間フレームで通信する無線信号に割り当てる通信リソース量の割当決定処理と、セカンダリセル上の時間フレームで通信する無線信号に割り当てる通信リソース量の割当決定処理とを同時に実施することが考えられる。このため、制御装置が、通信リソース量の割当決定処理を一定時間以内に完了できるようにするには、処理能力が高いハードウェア等を備えている必要があるという課題があった。【０００８】
この発明は上記のような課題を解決するためになされたもので、制御装置の処理能力を高めることなく、通信リソース量の割当決定処理を実施することができる基地局装置及び移動通信システムを得ることを目的とする。
【課題を解決するための手段】
【０００９】
この発明に係る基地局装置は、第１の無線信号に割り当てる第１の通信リソース量を決定するとともに、第２の無線信号に割り当てる第２の通信リソース量を決定する制御装置と、第１の搬送波を用いて、制御装置により決定された第１の通信リソース量に対応するデータサイズ分の情報データを含む第１の無線信号を移動端末に送信するとともに、第２の搬送波を用いて、制御装置により決定された第２の通信リソース量に対応するデータサイズ分の情報データを含む第２の無線信号を移動端末に送信する基地局とを備え、制御装置が、第１の搬送波の時間フレームにおけるフレーム間のタイミングで、第１の通信リソース量の割当決定処理を開始し、その時間フレームにおけるフレーム間のタイミングから遅延時間が経過したタイミングで、第２の通信リソース量の割当決定処理を開始するようにしたものである。
【発明の効果】
【００１０】
この発明によれば、制御装置が、第１の搬送波の時間フレームにおけるフレーム間のタイミングで、第１の通信リソース量の割当決定処理を開始し、その時間フレームにおけるフレーム間のタイミングから遅延時間が経過したタイミングで、第２の通信リソース量の割当決定処理を開始するように構成したので、制御装置の処理能力を高めることなく、通信リソース量の割当決定処理を実施することができる効果がある。
【図面の簡単な説明】
【００１１】
【図１】この発明の実施の形態１による移動通信システムを示す構成図である。
【図２】遅延時間Ｄが０である場合の制御装置１１におけるリソース割当部１１ｂの処理タイミングと、基地局１２，１３における送信部１２ａ，１３ａの処理タイミングとを示すタイミングチャートである。
【図３】遅延時間ＤがＴ／２である場合の制御装置１１におけるリソース割当部１１ｂの処理タイミングと、基地局１２，１３における送信部１２ａ，１３ａの処理タイミングとを示すタイミングチャートである。
【図４】この発明の実施の形態１による他の移動通信システムを示す構成図である。
【図５】この発明の実施の形態１による他の移動通信システムを示す構成図である。
【図６】この発明の実施の形態２による移動通信システムを示す構成図である。
【図７】制御装置１１におけるリソース割当部１１ｂの処理タイミングと、基地局１２，１３における送信部１２ａ，１３ａの処理タイミングとを示すタイミングチャートである。
【図８】この発明の実施の形態２による他の移動通信システムを示す構成図である。
【図９】この発明の実施の形態２による他の移動通信システムを示す構成図である。
【図１０】制御装置１１におけるリソース割当部１１ｂの処理タイミングと、基地局１２，１３における送信部１２ａ，１３ａの処理タイミングとを示すタイミングチャートである。
【図１１】サブフレーム番号と通信リソース量を含む割当結果メッセージを示す説明図である。
【図１２】この発明の実施の形態３による移動通信システムを示す構成図である。
【図１３】移動端末２の遅延クラス出力部２４を示す構成図である。
【図１４】情報データＩＤと下り要求遅延クラスを含む遅延クラスメッセージを示す説明図である。
【図１５】制御装置１１におけるリソース割当部１１ｄの処理内容を示すフローチャートである。
【図１６】移動通信システムにおける基地局装置のハードウェア構成図である。
【図１７】基地局装置がソフトウェアやファームウェアなどで実現される場合のコンピュータのハードウェア構成図である。
【発明を実施するための形態】
【００１２】
以下、この発明をより詳細に説明するために、この発明を実施するための形態について、添付の図面にしたがって説明する。
【００１３】
実施の形態１．
図１はこの発明の実施の形態１による移動通信システムを示す構成図である。
図１において、基地局装置１は制御装置１１、基地局１２，１３、基準タイミング源１４及びタイミング遅延部１５を備えている。
この実施の形態１では、第１の搬送波であるプライマリセル（図１では、「ＰＣｅｌｌ」と表記している）に対応する基地局１２と、第２の搬送波であるセカンダリセル（図１では、「ＳＣｅｌｌ」と表記している）に対応する基地局１３とを別々の基地局として設けているが、基地局１２と基地局１３が１つの基地局として一体化されていてもよい。
また、制御装置１１と基地局１２，１３を別々の装置として設けているが、制御装置１１と基地局１２，１３が一体化されていてもよい。
この実施の形態１では、プライマリセルが第１のセルとして扱われ、セカンダリセルが第２のセルとして扱われる。
【００１４】
制御装置１１は受信部１１ａ、リソース割当部１１ｂ及び送信部１１ｃを備えており、基地局１２から移動端末２に送信される第１の無線信号に割り当てる通信リソース量Ｒｓ１（第１の通信リソース量）を決定するとともに、基地局１３から移動端末２に送信される第２の無線信号に割り当てる通信リソース量Ｒｓ２（第２の通信リソース量）を決定する。
制御装置１１の受信部１１ａは基地局１２の受信部１２ｂ及び基地局１３の受信部１３ｂと接続されており、移動端末２の通信部２１から送信された制御情報を基地局１２の受信部１２ｂ経由で受信するとともに、移動端末２の通信部２２から送信された制御情報を基地局１３の受信部１３ｂ経由で受信する。
また、制御装置１１の受信部１１ａは基地局１２の受信部１２ｂから送信されたタイミング信号Ｔｉｍ１、即ち、プライマリセルの時間フレームにおけるサブフレーム間のタイミングである境界タイミングを示すタイミング信号Ｔｉｍ１を受信するとともに、基地局１３の受信部１３ｂから送信されたタイミング信号Ｔｉｍ２、即ち、セカンダリセルの時間フレームにおけるサブフレーム間のタイミングである境界タイミングを示すタイミング信号Ｔｉｍ２を受信する。
なお、制御装置１１の受信部１１ａは、例えば、ＬＡＮ（Ｌｏｃａｌ  Ａｒｅａ  Ｎｅｔｗｏｒｋ）などのネットワークを介して基地局１２，１３の受信部１２ｂ，１３ｂと接続されている場合、そのネットワークに対するインタフェース機器を備えている。
【００１５】
移動端末２の通信部２１，２２から送信される制御情報には、移動端末２の通信部２１，２２により測定される無線信号の受信品質、即ち、時間フレームにおけるサブフレームのデータチャネルに格納されるトランスポートブロック（ＴＢ：Ｔｒａｎｓｐｏｒｔ  Ｂｌｏｃｋ）の受信品質を示す情報が含まれている。
トランスポートブロックの受信品質としては、例えば、トランスポートブロックの受信信号強度（ＲＳＳＩ：Ｒｅｃｅｉｖｅｄ  Ｓｉｇｎａｌ  Ｓｔｒｅｎｇｔｈ  Ｉｎｄｉｃａｔｏｒ）や、搬送波レベル対干渉雑音比（ＣＩＮＲ：Ｃａｒｒｉｅｒ ｔｏ  Ｉｎｔｅｒｆｅｒｅｎｃｅ  ａｎｄ  Ｎｏｉｓｅ  Ｒａｔｉｏ）などが考えられる。
【００１６】
制御装置１１のリソース割当部１１ｂは受信部１１ａによりタイミング信号Ｔｉｍ１が受信されたタイミングで、第１の無線信号に割り当てる通信リソース量Ｒｓ１の割当決定処理を開始する。
また、リソース割当部１１ｂは受信部１１ａによりタイミング信号Ｔｉｍ２が受信されたタイミングで、第２の無線信号に割り当てる通信リソース量Ｒｓ２の割当決定処理を開始する。
【００１７】
制御装置１１の送信部１１ｃは基地局１２の送信部１２ａ及び基地局１３の送信部１３ａと接続されており、リソース割当部１１ｂにより決定された第１の無線信号に割り当てる通信リソース量Ｒｓ１を基地局１２の送信部１２ａに送信するとともに、リソース割当部１１ｂにより決定された第２の無線信号に割り当てる通信リソース量Ｒｓ２を基地局１３の送信部１３ａに送信する。
なお、制御装置１１の送信部１１ｃは、例えば、ＬＡＮなどのネットワークを介して基地局１２，１３の送信部１２ａ，１３ａと接続されている場合、そのネットワークに対するインタフェース機器を備えている。
【００１８】
基地局１２は第１の無線信号として、移動端末２に送信する情報データの中から、制御装置１１の送信部１１ｃから送信された通信リソース量Ｒｓ１に対応するデータサイズ分の情報データを切り出して、その切り出した情報データをトランスポートブロックＴＢ１に格納するＴＢ構築処理を実施し、プライマリセルを用いて、そのトランスポートブロックＴＢ１を移動端末２の通信部２１に送信するとともに、その通信リソース量Ｒｓ１を示す制御情報を移動端末２の通信部２１に送信する。
基地局１３は第２の無線信号として、移動端末２に送信する情報データの中から、制御装置１１の送信部１１ｃから送信された通信リソース量Ｒｓ２に対応するデータサイズ分の情報データを切り出して、その切り出した情報データをトランスポートブロックＴＢ２に格納するＴＢ構築処理を実施し、セカンダリセルを用いて、そのトランスポートブロックＴＢを移動端末２の通信部２２に送信するとともに、その通信リソース量Ｒｓ２を示す制御情報を移動端末２の通信部２２に送信する。
【００１９】
基地局１２の送信部１２ａはプライマリセルにおける時間フレームの境界タイミングが、基準タイミング源１４から出力されたタイミング信号Ｔｉｍｒｅｆが示す基準タイミングと一致するように、自己が有する基準時計の時刻合わせを実施する。
また、基地局１２の送信部１２ａは第１の無線信号として、移動端末２に送信する情報データの中から、制御装置１１の送信部１１ｃから送信された通信リソース量Ｒｓ１に対応するデータサイズ分の情報データを切り出して、その切り出した情報データをトランスポートブロックＴＢ１に格納するＴＢ構築処理を実施する。
基地局１２の送信部１２ａはＴＢ構築処理が完了すると、プライマリセルにおける時間フレームの境界タイミングで、プライマリセルを用いて、そのトランスポートブロックＴＢ１を移動端末２の通信部２１に送信するとともに、その通信リソース量Ｒｓ１を示す制御情報を移動端末２の通信部２１に送信する。
【００２０】
基地局１２の受信部１２ｂは移動端末２の通信部２１から送信された制御情報を受信し、その制御情報を制御装置１１の受信部１１ａに転送する。この制御情報には、移動端末２の通信部２１におけるトランスポートブロックＴＢ１の受信品質を示す情報が含まれている。
また、基地局１２の受信部１２ｂは基準タイミング源１４から出力されたタイミング信号Ｔｉｍｒｅｆを、プライマリセルにおける時間フレームの境界タイミングを示すタイミング信号Ｔｉｍ１として制御装置１１の受信部１１ａに転送する。
【００２１】
基地局１３の送信部１３ａはセカンダリセルにおける時間フレームの境界タイミングが、タイミング遅延部１５から出力されたタイミング信号Ｔｉｍ２と一致するように、自己が有する基準時計の時刻合わせを実施する。
また、基地局１３の送信部１３ａは第２の無線信号として、移動端末２に送信する情報データの中から、制御装置１１の送信部１１ｃから送信された通信リソース量Ｒｓ２に対応するデータサイズ分の情報データを切り出して、その切り出した情報データをトランスポートブロックＴＢ２に格納するＴＢ構築処理を実施する。
基地局１３の送信部１３ａはＴＢ構築処理が完了すると、セカンダリセルにおける時間フレームの境界タイミングで、セカンダリセルを用いて、そのトランスポートブロックＴＢ２を移動端末２の通信部２２に送信するとともに、その通信リソース量Ｒｓ２を示す制御情報を移動端末２の通信部２２に送信する。
【００２２】
基地局１３の受信部１３ｂは移動端末２の通信部２２から送信された制御情報を受信し、その制御情報を制御装置１１の受信部１１ａに転送する。この制御情報には、移動端末２の通信部２２におけるトランスポートブロックＴＢ２の受信品質を示す情報が含まれている。
また、基地局１３の受信部１３ｂはタイミング遅延部１５から出力されたタイミング信号Ｔｉｍ２を制御装置１１の受信部１１ａに転送する。
【００２３】
基準タイミング源１４は基準タイミングを示すタイミング信号Ｔｉｍｒｅｆを基地局１２及びタイミング遅延部１５に出力する信号源である。
即ち、基準タイミング源１４は例えばＧＰＳ（Ｇｌｏｂａｌ  Ｐｏｓｉｔｉｏｎｉｎｇ  Ｓｙｓｔｅｍ）衛星から送信されたＧＰＳ信号を受信するＧＰＳ受信機を備えており、そのＧＰＳ信号に含まれている高精度な時刻情報にしたがって周期的な基準タイミングを生成し、その基準タイミングを示すタイミング信号Ｔｉｍｒｅｆを基地局１２及びタイミング遅延部１５に出力する。
【００２４】
タイミング遅延部１５は例えば遅延回路を備えており、プライマリセルにおける時間フレームの境界タイミングからの遅延時間Ｄを設定する。
また、タイミング遅延部１５は基準タイミング源１４から出力されたタイミング信号Ｔｉｍｒｅｆを遅延時間Ｄだけ遅延し、遅延したタイミング信号Ｔｉｍｒｅｆを、セカンダリセルにおける時間フレームの境界タイミングを示すタイミング信号Ｔｉｍ２として基地局１３に出力する。
タイミング信号Ｔｉｍｒｅｆを遅延時間Ｄだけ遅延する遅延回路は、例えば、以下の特許文献２に開示されているため詳細な説明を省略する。タイミング信号Ｔｉｍｒｅｆを遅延時間Ｄだけ遅延できればよく、遅延回路を用いる以外の方法で、タイミング信号Ｔｉｍｒｅｆを遅延するようにしてもよい。
［特許文献２］ＷＯ９５／０２９３２
【００２５】
ここでは、基地局１３の受信部１３ｂが、セカンダリセルにおける時間フレームの境界タイミングを示すタイミング信号Ｔｉｍ２を制御装置１１の受信部１１ａに転送するものを想定しているが、基地局１３の受信部１３ｂが、基準タイミング源１４から出力されたタイミング信号Ｔｉｍｒｅｆが示す基準タイミングに対して、タイミング遅延部１５により設定された遅延時間Ｄを付加することで、セカンダリセルにおける時間フレームの境界タイミングを生成して、その境界タイミングを示すタイミング信号Ｔｉｍ２を制御装置１１の受信部１１ａに送信するようにしてもよい。
【００２６】
遅延時間Ｄとしては、例えば、マイクロ秒などの時間が想定されるが、プライマリセル及びセカンダリセルにおける時間フレームでのサブフレームの時間を単位時間として、分数や小数で表現されるものであってもよい。また、サブフレームを構成するシンボルの時間を単位として表現されるものであってもよい。
ここでは、タイミング遅延部１５が遅延時間Ｄを設定する例を示しているが、制御装置１１がキャリアアグリゲーションで用いるセルに応じて遅延時間Ｄを決定して、その遅延時間Ｄを含むメッセージをタイミング遅延部１５に出力し、タイミング遅延部１５が、そのメッセージに含まれている遅延時間Ｄを設定するようにしてもよい。
また、ユーザが図示せぬマンマシンインタフェースを操作することで、タイミング遅延部１５が設定する遅延時間Ｄを指定するようにしてもよい。
【００２７】
タイミング遅延部１５が設定する遅延時間Ｄは、プライマリセルにおける時間フレームの境界タイミングと、セカンダリセルにおける時間フレームの境界タイミングとの相対時間であるものを想定しているが、セカンダリセルにおける時間フレームの境界タイミングの時間を示す絶対時間であってもよい。タイミング遅延部１５は、遅延時間Ｄがセカンダリセルにおける時間フレームの境界タイミングの時間を示す絶対時間である場合、現在の時間が当該絶対時間になるタイミングで、セカンダリセルにおける時間フレームの境界タイミングを示すタイミング信号Ｔｉｍ２を基地局１３に出力する。
ここではタイミング遅延部１５が遅延時間Ｄを設定する例を示しているが、図示せぬ不揮発性の記憶領域に遅延時間Ｄが事前に記録され、タイミング遅延部１５が、例えば、電源起動時に不揮発性の記憶領域から遅延時間Ｄを読み出すようにしてもよい。
【００２８】
移動端末２はプライマリセルに対応する通信部２１と、セカンダリセルに対応する通信部２２と、通信部２１，２２を制御する制御部２３とを備えている。
通信部２１は受信部２１ａ及び送信部２１ｂを備えている。
通信部２１の受信部２１ａは基地局１２の送信部１２ａからプライマリセルを用いて送信されたトランスポートブロックＴＢ１及び制御情報を受信する。
また、通信部２１の受信部２１ａはトランスポートブロックＴＢ１の受信品質を測定する。
通信部２１の送信部２１ｂはプライマリセルを用いて、受信部２１ａにより測定されたトランスポートブロックＴＢ１の受信品質を示す制御情報を基地局１２の受信部１２ｂに送信する。
【００２９】
通信部２２は受信部２２ａ及び送信部２２ｂを備えている。
通信部２２の受信部２２ａは基地局１３の送信部１３ａからセカンダリセルを用いて送信されたトランスポートブロックＴＢ２及び制御情報を受信する。
また、通信部２２の受信部２２ａはトランスポートブロックＴＢ２の受信品質を測定する。
通信部２２の送信部２２ｂはセカンダリセルを用いて、受信部２２ａにより測定されたトランスポートブロックＴＢ２の受信品質を示す制御情報を基地局１３の受信部１３ｂに送信する。
制御部２３は例えばＣＰＵ（Ｃｅｎｔｒａｌ  Ｐｒｏｃｅｓｓｉｎｇ  Ｕｎｉｔ）を実装している半導体集積回路、あるいは、ワンチップマイコンなどから構成されており、通信部２１，２２の送信部２１ｂ，２２ｂに対して、通信部２１，２２の受信部２１ａ，２２ａにより測定された受信品質を示す制御情報を送信する旨の指令を出力するなどの制御を行う。
【００３０】
図１６はこの発明の実施の形態１による移動通信システムにおける基地局装置のハードウェア構成図である。
図１では、基地局装置の構成要素である制御装置１１、基地局１２，１３、基準タイミング源１４及びタイミング遅延部１５のそれぞれが、図１６に示すような専用のハードウェア、即ち、制御回路５１、基地局回路５２，５３、タイミング発振回路５４及びタイミング遅延回路５５で実現されるものを想定している。
制御回路５１は制御装置１１を実現する回路、基地局回路５２，５３は基地局１２，１３を実現する回路、タイミング発振回路５４は基準タイミング源１４を実現する回路、タイミング遅延回路５５はタイミング遅延部１５を実現する回路である。
制御回路５１、基地局回路５２，５３、タイミング発振回路５４及びタイミング遅延回路５５は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、または、これらを組み合わせたものが該当する。
【００３１】
ただし、基地局装置の構成要素は専用のハードウェアで実現されるものに限るものではなく、基地局装置がソフトウェア、ファームウェア、または、ソフトウェアとファームウェアとの組み合わせで実現されるものであってもよい。
ソフトウェアやファームウェアはプログラムとして、コンピュータのメモリに格納される。コンピュータは、プログラムを実行するハードウェアを意味し、例えば、ＣＰＵ、中央処理装置、処理装置、演算装置、マイクロプロセッサ、マイクロコンピュータ、プロセッサ、ＤＳＰ（Ｄｉｇｉｔａｌ  Ｓｉｇｎａｌ  Ｐｒｏｃｅｓｓｏｒ）などが該当する。
図１７は基地局装置がソフトウェアやファームウェアなどで実現される場合のコンピュータのハードウェア構成図である。
基地局装置がソフトウェアやファームウェアなどで実現される場合、制御装置１１、基地局１２，１３、基準タイミング源１４及びタイミング遅延部１５の処理手順をコンピュータに実行させるためのプログラムをメモリ６１に格納し、コンピュータのプロセッサ６２がメモリ６１に格納されているプログラムを実行するようにすればよい。
【００３２】
ここで、メモリ６１は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒy）などの不揮発性又は揮発性の半導体メモリや、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｃ）などが該当する。
【００３３】
また、図１６では基地局装置の構成要素のそれぞれが専用のハードウェアで実現される例を示し、図１７では、基地局装置がソフトウェアやファームウェアなどで実現される例を示しているが、基地局装置における一部の構成要素が専用のハードウェアで実現され、残りの構成要素がソフトウェアやファームウェアなどで実現されるものであってもよい。
例えば、基地局１２，１３、基準タイミング源１４及びタイミング遅延部１５を専用のハードウェアで実現し、制御装置１１をソフトウェアやファームウェアなどで実現することが可能である。ただし、専用のハードウェアとソフトウェア等の組み合わせは任意である。
【００３４】
次に動作について説明する。
基地局１２の送信部１２ａは、プライマリセルにおける時間フレームでのサブフレームの制御チャネルに、第１の無線信号に割り当てる通信リソース量Ｒｓ１を示す制御情報を含めるとともに、同じサブフレームのデータチャネルに、その通信リソース量Ｒｓ１に対応するデータサイズ分の情報データを格納しているトランスポートブロックＴＢ１を含める。第１の無線信号に割り当てる通信リソース量Ｒｓ１は、後述するリソース割当部１１ｂによって決定される。
そして、基地局１２の送信部１２ａは、プライマリセルにおける時間フレームの境界タイミングで、プライマリセルを用いて、その通信リソース量Ｒｓ１を示す制御情報とトランスポートブロックＴＢ１を移動端末２の通信部２１に送信する。
基地局１２の送信部１２ａにおける送信処理の詳細については後述する。
【００３５】
基地局１３の送信部１３ａは、セカンダリセルにおける時間フレームでのサブフレームの制御チャネルに、第２の無線信号に割り当てる通信リソース量Ｒｓ２を示す制御情報を含めるとともに、同じサブフレームのデータチャネルに、その通信リソース量Ｒｓ２に対応するデータサイズ分の情報データを格納しているトランスポートブロックＴＢ２を含める。第２の無線信号に割り当てる通信リソース量Ｒｓ２は、後述するリソース割当部１１ｂによって決定される。
そして、基地局１３の送信部１３ａは、セカンダリセルにおける時間フレームの境界タイミングで、セカンダリセルを用いて、その通信リソース量Ｒｓ２を示す制御情報とトランスポートブロックＴＢ２を移動端末２の通信部２２に送信する。
基地局１３の送信部１３ａにおける送信処理の詳細については後述する。
【００３６】
移動端末２における通信部２１の受信部２１ａは、基地局１２の送信部１２ａから送信されたトランスポートブロックＴＢ１と通信リソース量Ｒｓ１を示す制御情報とを受信する。
通信部２１の受信部２１ａは、その制御情報が示す通信リソース量Ｒｓ１に対応するデータサイズ分の情報データとして、そのトランスポートブロックＴＢ１に格納されている情報データを取得する。
また、通信部２１の受信部２１ａは、トランスポートブロックＴＢ１の受信品質を測定する。
移動端末２における通信部２２の受信部２２ａは、基地局１３の送信部１３ａから送信されたトランスポートブロックＴＢ２と通信リソース量Ｒｓ２を示す制御情報とを受信する。
通信部２２の受信部２２ａは、その制御情報が示す通信リソース量Ｒｓ２に対応するデータサイズ分の情報データとして、そのトランスポートブロックＴＢ２に格納されている情報データを取得する。
また、通信部２２の受信部２２ａは、トランスポートブロックＴＢ２の受信品質を測定する。
【００３７】
移動端末２における通信部２１の送信部２１ｂは、受信部２１ａがトランスポートブロックＴＢ１の受信品質を測定すると、制御部２３の指令にしたがって、プライマリセルを用いて、トランスポートブロックＴＢ１の受信品質を示す制御情報を基地局１２の受信部１２ｂに送信する。
移動端末２における通信部２２の送信部２２ｂは、受信部２２ａがトランスポートブロックＴＢ２の受信品質を測定すると、制御部２３の指令にしたがって、セカンダリセルを用いて、トランスポートブロックＴＢ２の受信品質を示す制御情報を基地局１３の受信部１３ｂに送信する。
トランスポートブロックＴＢ１，ＴＢ２の受信品質を示す制御情報は、例えば、上りのサブフレームの制御チャネルを用いて送信される。
【００３８】
基地局１２の受信部１２ｂは、移動端末２の通信部２１から送信されたトランスポートブロックＴＢ１の受信品質を示す制御情報を受信し、その制御情報を制御装置１１の受信部１１ａに転送する。
基地局１３の受信部１３ｂは、移動端末２の通信部２２から送信されたトランスポートブロックＴＢ２の受信品質を示す制御情報を受信し、その制御情報を制御装置１１の受信部１１ａに転送する。
【００３９】
基準タイミング源１４は、基準タイミングを示すタイミング信号Ｔｉｍｒｅｆを基地局１２及びタイミング遅延部１５に出力する。
基地局１２の送信部１２ａは、基準タイミング源１４からタイミング信号Ｔｉｍｒｅｆを受けると、プライマリセルにおける時間フレームの境界タイミングが、そのタイミング信号Ｔｉｍｒｅｆが示す基準タイミングと一致するように、自己が有する基準時計の時刻合わせを実施する。
基地局１２の受信部１２ｂは、基準タイミング源１４から出力されたタイミング信号Ｔｉｍｒｅｆを、プライマリセルにおける時間フレームの境界タイミングを示すタイミング信号Ｔｉｍ１として制御装置１１の受信部１１ａに転送する。
【００４０】
タイミング遅延部１５は、基準タイミング源１４からタイミング信号Ｔｉｍｒｅｆを受けると、プライマリセルにおける時間フレームの境界タイミングが、そのタイミング信号Ｔｉｍｒｅｆが示す基準タイミングと一致しているものとして、プライマリセルにおける時間フレームの境界タイミングからの遅延時間Ｄを設定する。
タイミング遅延部１５は、遅延時間Ｄを設定すると、基準タイミング源１４から出力されたタイミング信号Ｔｉｍｒｅｆを遅延時間Ｄだけ遅延し、遅延後のタイミング信号Ｔｉｍｒｅｆを、セカンダリセルにおける時間フレームの境界タイミングを示すタイミング信号Ｔｉｍ２として基地局１３に出力する。
【００４１】
基地局１３の送信部１３ａは、タイミング遅延部１５からタイミング信号Ｔｉｍ２を受けると、セカンダリセルにおける時間フレームの境界タイミングが、そのタイミング信号Ｔｉｍ２が示すタイミングと一致するように、自己が有する基準時計の時刻合わせを実施する。
基地局１３の受信部１３ｂは、タイミング遅延部１５から出力されたタイミング信号Ｔｉｍ２を制御装置１１の受信部１１ａに転送する。
【００４２】
これにより、遅延時間Ｄが０である場合、プライマリセルにおける時間フレームと、セカンダリセルにおける時間フレームとが同期するため、プライマリセルとセカンダリセルにおける時間フレームの境界タイミングやフレーム番号が一致する。
しかし、遅延時間Ｄが０より大きい場合、プライマリセルとセカンダリセルにおける時間フレームの境界タイミングやフレーム番号は一致しない。
例えば、プライマリセルとセカンダリセルにおける時間フレームのサブフレーム時間がＴであるとき、遅延時間ＤがＴ／２である場合、セカンダリセルにおける時間フレームの境界タイミングやフレーム番号は、プライマリセルにおける時間フレームの境界タイミングやフレーム番号よりＴ／２だけ遅れることになる。
この実施の形態１では、制御装置１１におけるリソース割当部１１ｂの処理能力を高めることなく、第１の無線信号に割り当てる通信リソース量Ｒｓ１の割当決定処理と、第２の無線信号に割り当てる通信リソース量Ｒｓ２の割当決定処理とを実施できることを目的としているため、遅延時間Ｄが０に設定される場合はなく、例えば、遅延時間ＤがＴ／２に設定される。
【００４３】
制御装置１１の受信部１１ａは、基地局１２の受信部１２ｂから転送されたトランスポートブロックＴＢ１の受信品質を示す制御情報と、プライマリセルにおける時間フレームの境界タイミングを示すタイミング信号Ｔｉｍ１とを受信する。
また、制御装置１１の受信部１１ａは、基地局１３の受信部１３ｂから転送されたトランスポートブロックＴＢ２の受信品質を示す制御情報と、セカンダリセルにおける時間フレームの境界タイミングを示すタイミング信号Ｔｉｍ２とを受信する。
【００４４】
ここで、図２及び図３は制御装置１１におけるリソース割当部１１ｂの処理タイミングと、基地局１２，１３における送信部１２ａ，１３ａの処理タイミングとを示すタイミングチャートである。
プライマリセルとセカンダリセルにおける時間フレームのサブフレーム時間がＴであるとして、図２は遅延時間Ｄが０である場合を示し、図３は遅延時間ＤがＴ／２である場合を示している。
図２及び図３において、“△”はプライマリセルにおける時間フレームの境界タイミングを示し、“∧”はセカンダリセルにおける時間フレームの境界タイミングを示している。
【００４５】
制御装置１１のリソース割当部１１ｂは、受信部１１ａにより受信されたタイミング信号Ｔｉｍ１が示すプライマリセルにおける時間フレームの境界タイミングで、第１の無線信号に割り当てる通信リソース量Ｒｓ１の割当決定処理を開始する。図２及び図３では、通信リソース量Ｒｓ１の割当決定処理を“リソース割当（ａ）”のように表記している。
また、制御装置１１のリソース割当部１１ｂは、受信部１１ａにより受信されたタイミング信号Ｔｉｍ２が示すセカンダリセルにおける時間フレームの境界タイミングで、第２の無線信号に割り当てる通信リソース量Ｒｓ２の割当決定処理を開始する。図２及び図３では、通信リソース量Ｒｓ２の割当決定処理を“リソース割当（ｂ）”のように表記している。
通信リソース量Ｒｓ１，Ｒｓ２の割当決定処理は、基地局１２，１３の送信部１２ａ，１３ａがＴＢ構築処理を実施するのに十分な時間を残して完了している必要がある。即ち、通信リソース量Ｒｓ１の割当決定処理と基地局１２の送信部１２ａによるＴＢ構築処理との合計の処理時間がサブフレーム時間Ｔ以内に完了し、通信リソース量Ｒｓ２の割当決定処理と基地局１３の送信部１３ａによるＴＢ構築処理との合計の処理時間がサブフレーム時間Ｔ以内に完了している必要がある。
【００４６】
通信リソース量Ｒｓ１，Ｒｓ２の割当決定処理に要する処理時間は、各々の割当決定処理における処理負荷と、制御装置１１におけるリソース割当部１１ｂの処理能力とによって異なるが、この実施の形態１では、説明の便宜上、通信リソース量Ｒｓ１，Ｒｓ２の割当決定処理に要する処理時間がＴ／２であるものとする。
例えば、リソース割当部１１ｂがＣＰＵを実装している半導体集積回路などで実現される場合、各々の割当決定処理における処理負荷は、ＣＰＵが実行する所要命令数などで決まる。
また、リソース割当部１１ｂの処理能力は、例えば、ＭＩＰＳ（Ｍｉｌｌｉｏｎ  Ｉｎｓｔｒｕｃｔｉｏｎｓ  Ｐｅｒ Ｓｅｃｏｎｄ）で表される性能で決まる。
【００４７】
遅延時間Ｄが０である場合、図２に示すように、プライマリセルにおける時間フレームの境界タイミング“△”と、セカンダリセルにおける時間フレームの境界タイミング“∧”とが一致するため、通信リソース量Ｒｓ１の割当決定処理と、通信リソース量Ｒｓ２の割当決定処理とが同時に開始される。
遅延時間ＤがＴ／２である場合、図３に示すように、セカンダリセルにおける時間フレームの境界タイミング“∧”が、プライマリセルにおける時間フレームの境界タイミング“△”よりＴ／２だけ遅いため、通信リソース量Ｒｓ１の割当決定処理が完了したタイミングで、通信リソース量Ｒｓ２の割当決定処理が開始される。
したがって、遅延時間Ｄが０である場合に、通信リソース量Ｒｓ１の割当決定処理と、通信リソース量Ｒｓ２の割当決定処理とをＴ／２の処理時間で実施するのに必要なリソース割当部１１ｂの処理能力を１００％とすると、遅延時間ＤがＴ／２である場合、リソース割当部１１ｂが５０％の処理能力を有していれば、通信リソース量Ｒｓ１，Ｒｓ２の割当決定処理をそれぞれＴ／２の処理時間で実施することができる。
【００４８】
制御装置１１の送信部１１ｃは、リソース割当部１１ｂによる通信リソース量Ｒｓ１の割当決定処理が完了すると、リソース割当部１１ｂにより決定された通信リソース量Ｒｓ１を基地局１２の送信部１２ａに送信する。
また、制御装置１１の送信部１１ｃは、リソース割当部１１ｂによる通信リソース量Ｒｓ２の割当決定処理が完了すると、リソース割当部１１ｂにより決定された通信リソース量Ｒｓ２を基地局１３の送信部１３ａに送信する。
【００４９】
基地局１２の送信部１２ａは、制御装置１１の送信部１１ｃから通信リソース量Ｒｓ１を受けると、第１の無線信号として、移動端末２に送信する情報データの中から、その通信リソース量Ｒｓ１に対応するデータサイズ分の情報データの切り出しを行う。
そして、基地局１２の送信部１２ａは、その切り出した情報データをトランスポートブロックＴＢ１に格納するＴＢ構築処理を実施する。図２及び図３では、その切り出した第１の無線信号をトランスポートブロックＴＢ１に格納するＴＢ構築処理を“ＴＢ構築（ａ）”のように表記している。
情報データをトランスポートブロックＴＢ１に格納するＴＢ構築処理の開始タイミングは、図２及び図３に示すように、遅延時間Ｄにかかわらず、通信リソース量Ｒｓ１の割当決定処理が完了した直後のタイミングである。
図２及び図３では、このＴＢ構築処理の処理時間がＴ／２である例を示しており、通信リソース量Ｒｓ１の割当決定処理とＴＢ構築処理との合計の処理時間が、プライマリセルにおける時間フレームのサブフレーム時間Ｔと一致している。
【００５０】
基地局１３の送信部１３ａは、制御装置１１の送信部１１ｃから通信リソース量Ｒｓ２を受けると、第２の無線信号として、移動端末２に送信する情報データの中から、その通信リソース量Ｒｓ２に対応するデータサイズ分の情報データの切り出しを行う。
そして、基地局１３の送信部１３ａは、その切り出した情報データをトランスポートブロックＴＢ２に格納するＴＢ構築処理を実施する。図２及び図３では、その切り出した第２の無線信号をトランスポートブロックＴＢ２に格納するＴＢ構築処理を“ＴＢ構築（ｂ）”のように表記している。
情報データをトランスポートブロックＴＢ２に格納するＴＢ構築処理の開始タイミングは、図２及び図３に示すように、遅延時間Ｄにかかわらず、通信リソース量Ｒｓ２の割当決定処理が完了した直後のタイミングである。
【００５１】
ただし、遅延時間Ｄが０である場合、図２に示すように、通信リソース量Ｒｓ１の割当決定処理と、通信リソース量Ｒｓ２の割当決定処理とが同じタイミングで実施されるため、情報データをトランスポートブロックＴＢ２に格納するＴＢ構築処理は、情報データをトランスポートブロックＴＢ１に格納するＴＢ構築処理と同じタイミングで実施される。
遅延時間ＤがＴ／２である場合、図３に示すように、通信リソース量Ｒｓ１の割当決定処理が完了したタイミングで、通信リソース量Ｒｓ２の割当決定処理が開始されるため、情報データをトランスポートブロックＴＢ１に格納するＴＢ構築処理が完了したタイミングで、情報データをトランスポートブロックＴＢ２に格納するＴＢ構築処理が開始される。
【００５２】
基地局１２の送信部１２ａは、ＴＢ構築処理が完了すると、次のサブフレームの制御チャネルにリソース割当部１１ｂにより決定された通信リソース量Ｒｓ１を示す制御情報を含めるとともに、同じサブフレームのデータチャネルにトランスポートブロックＴＢ１を含め、プライマリセルにおける時間フレームの次の境界タイミングで、プライマリセルを用いて、その制御情報とトランスポートブロックＴＢ１を移動端末２の通信部２１に送信する。
図２及び図３の例では、左から２番目の境界タイミング“△”で、制御情報とトランスポートブロックＴＢ１を移動端末２の通信部２１に送信している。
【００５３】
基地局１３の送信部１３ａは、ＴＢ構築処理が完了すると、次のサブフレームの制御チャネルにリソース割当部１１ｂにより決定された通信リソース量Ｒｓ２を示す制御情報を含めるとともに、同じサブフレームのデータチャネルにトランスポートブロックＴＢ２を含め、セカンダリセルにおける時間フレームの次の境界タイミングで、セカンダリセルを用いて、その制御情報とトランスポートブロックＴＢ２を移動端末２の通信部２２に送信する。
図２及び図３の例では、左から２番目の境界タイミング“∧”で、制御情報とトランスポートブロックＴＢ２を移動端末２の通信部２２に送信している。
【００５４】
ただし、遅延時間Ｄが０である場合、図２に示すように、情報データをトランスポートブロックＴＢ１に格納するＴＢ構築処理と、情報データをトランスポートブロックＴＢ２に格納するＴＢ構築処理とが同じタイミングで実施されるため、基地局１３の送信部１３ａによるトランスポートブロックＴＢ２等の送信処理は、基地局１２の送信部１２ａによるトランスポートブロックＴＢ１等の送信処理と同じタイミングで実施される。
遅延時間ＤがＴ／２である場合、図３に示すように、情報データをトランスポートブロックＴＢ２に格納するＴＢ構築処理が完了するタイミングが、情報データをトランスポートブロックＴＢ１に格納するＴＢ構築処理が完了するタイミングよりＴ／２の時間だけ遅いため、基地局１３の送信部１３ａによるトランスポートブロックＴＢ２等の送信処理が開始されるタイミングが、基地局１２の送信部１２ａによるトランスポートブロックＴＢ１等の送信処理が開始されるタイミングよりＴ／２の時間だけ遅くなっている。
【００５５】
以上で明らかなように、この実施の形態１によれば、制御装置１１が、プライマリセルにおける時間フレームの境界タイミングで、第１の無線信号に割り当てる通信リソース量Ｒｓ１の割当決定処理を開始し、その時間フレームの境界タイミングから遅延時間Ｄが経過したタイミングで、第２の無線信号に割り当てる通信リソース量の割当決定処理を開始するように構成したので、制御装置１１の処理能力を高めることなく、通信リソース量の割当決定処理を実施することができる効果を奏する。
即ち、制御装置１１は、Ｔ／２の時間中に、通信リソース量Ｒｓ１の割当決定処理における処理負荷を実行できる処理能力と、通信リソース量Ｒｓ２の割当決定処理における処理負荷とを同時に実行できる処理能力を備えている必要がない。したがって、プライマリセルとセカンダリセルを用いるキャリアアグリゲーションを行う場合でも、制御装置１１は、例えば、通信リソース量Ｒｓ１の割当決定処理における処理負荷を実行できる処理能力を備えていればよく、制御装置１１の処理能力を高める必要がない。
【００５６】
この実施の形態１では、タイミング遅延部１５が基準タイミング源１４と基地局１３の間に挿入されているものを示しているが、図４に示すように、タイミング遅延部１５が基準タイミング源１４と基地局１２の間に挿入されているようにしてもよい。
図４はこの発明の実施の形態１による他の移動通信システムを示す構成図であり、図４において、図１と同一符号は同一または相当部分を示すので説明を省略する。
タイミング遅延部１５が基準タイミング源１４と基地局１２の間に挿入される場合、セカンダリセルが第１のセルとして扱われ、プライマリセルが第２のセルとして扱われる。
【００５７】
このため、基地局１３の送信部１３ａは、基準タイミング源１４からタイミング信号Ｔｉｍｒｅｆを受けると、セカンダリセルにおける時間フレームの境界タイミングが、そのタイミング信号Ｔｉｍｒｅｆが示す基準タイミングと一致するように、自己が有する基準時計の時刻合わせを実施する。
基地局１３の受信部１３ｂは、基準タイミング源１４から出力されたタイミング信号Ｔｉｍｒｅｆを、セカンダリセルにおける時間フレームの境界タイミングを示すタイミング信号Ｔｉｍ２として制御装置１１の受信部１１ａに転送する。
【００５８】
タイミング遅延部１５は、基準タイミング源１４からタイミング信号Ｔｉｍｒｅｆを受けると、セカンダリセルにおける時間フレームの境界タイミングが、そのタイミング信号Ｔｉｍｒｅｆが示す基準タイミングと一致しているものとして、セカンダリセルにおける時間フレームの境界タイミングからの遅延時間Ｄを設定する。
タイミング遅延部１５は、遅延時間Ｄを設定すると、基準タイミング源１４から出力されたタイミング信号Ｔｉｍｒｅｆを遅延時間Ｄだけ遅延し、遅延後のタイミング信号Ｔｉｍｒｅｆを、プライマリセルにおける時間フレームの境界タイミングを示すタイミング信号Ｔｉｍ１として基地局１２に出力する。
【００５９】
基地局１２の送信部１２ａは、タイミング遅延部１５からタイミング信号Ｔｉｍ１を受けると、プライマリセルにおける時間フレームの境界タイミングが、そのタイミング信号Ｔｉｍ１が示すタイミングと一致するように、自己が有する基準時計の時刻合わせを実施する。
基地局１２の受信部１２ｂは、タイミング遅延部１５から出力されたタイミング信号Ｔｉｍ１を制御装置１１の受信部１１ａに転送する。
【００６０】
これにより、制御装置１１のリソース割当部１１ｂでは、基地局１３の受信部１３ｂから転送されたタイミング信号Ｔｉｍ２が示すセカンダリセルにおける時間フレームの境界タイミングで、第２の無線信号に割り当てる通信リソース量Ｒｓ２の割当決定処理を開始したのち、基地局１２の受信部１２ｂから転送されたタイミング信号Ｔｉｍ１が示すプライマリセルにおける時間フレームの境界タイミングで、第１の無線信号に割り当てる通信リソース量Ｒｓ１の割当決定処理を開始する。
この場合も、制御装置１１では、例えば、通信リソース量Ｒｓ１の割当決定処理における処理負荷を実行できる処理能力を備えていればよく、制御装置１１の処理能力を高める必要がない。
【００６１】
また、この実施の形態１では、タイミング遅延部１５が基準タイミング源１４と基地局１３の間に挿入されているものを示しているが、図５に示すように、タイミング遅延部１５が、基準タイミング源１４と基地局１３の間に挿入されているとともに、基準タイミング源１４と基地局１２の間に挿入されているようにしてもよい。
図５はこの発明の実施の形態１による他の移動通信システムを示す構成図であり、図５において、図１と同一符号は同一または相当部分を示すので説明を省略する。
この場合、第１の無線信号に割り当てる通信リソース量Ｒｓ１の割当決定処理と、第２の無線信号に割り当てる通信リソース量Ｒｓ２の割当決定処理とがシリアルに実施されるように、２つのタイミング遅延部１５が遅延時間Ｄを設定すればよい。
【００６２】
基準タイミング源１４と基地局１２の間に挿入されるタイミング遅延部１５が設定する遅延時間をＤ１、基準タイミング源１４と基地局１３の間に挿入されるタイミング遅延部１５が設定する遅延時間をＤ２とすると、例えば、その遅延時間Ｄ１と遅延時間Ｄ２の時間差がＴ／２であれば、第１の無線信号に割り当てる通信リソース量Ｒｓ１の割当決定処理と、第２の無線信号に割り当てる通信リソース量Ｒｓ２の割当決定処理とがシリアルに実施される。
この場合も、制御装置１１では、例えば、通信リソース量Ｒｓ１の割当決定処理における処理負荷を実行できる処理能力を備えていればよく、制御装置１１の処理能力を高める必要がない。
【００６３】
実施の形態２．
上記実施の形態１では、タイミング遅延部１５が基準タイミング源１４と基地局１３の間に挿入されているものを示しているが、図６に示すように、タイミング遅延部１６が基地局１３と制御装置１１の間に挿入されているものであってもよい。
【００６４】
図６はこの発明の実施の形態２による移動通信システムを示す構成図であり、図６において、図１と同一符号は同一または相当部分を示すので説明を省略する。
この実施の形態２では、プライマリセルが第１のセルとして扱われ、セカンダリセルが第２のセルとして扱われる。
この実施の形態２では、基地局１３の受信部１３ｂは、基準タイミング源１４から出力されたタイミング信号Ｔｉｍｒｅｆをタイミング遅延部１６に転送する。
タイミング遅延部１６は例えば遅延回路を備えており、図１のタイミング遅延部１５と同様に遅延時間Ｄを設定する。
また、タイミング遅延部１６は基地局１３の受信部１３ｂから転送されたタイミング信号Ｔｉｍｒｅｆを遅延時間Ｄだけ遅延し、遅延したタイミング信号Ｔｉｍｒｅｆを、セカンダリセルにおける時間フレームの境界タイミングを示すタイミング信号Ｔｉｍ２として制御装置１１の受信部１１ａに送信する。
なお、タイミング遅延部１６は図１のタイミング遅延部１５と同様に、図１６のタイミング遅延回路５５で実現される。
【００６５】
次に動作について説明する。
基準タイミング源１４は、基準タイミングを示すタイミング信号Ｔｉｍｒｅｆを基地局１２，１３に出力する。
基地局１２の送信部１２ａは、基準タイミング源１４からタイミング信号Ｔｉｍｒｅｆを受けると、プライマリセルにおける時間フレームの境界タイミングが、そのタイミング信号Ｔｉｍｒｅｆが示す基準タイミングと一致するように、自己が有する基準時計の時刻合わせを実施する。
基地局１２の受信部１２ｂは、基準タイミング源１４から出力されたタイミング信号Ｔｉｍｒｅｆを、プライマリセルにおける時間フレームの境界タイミングを示すタイミング信号Ｔｉｍ１として制御装置１１の受信部１１ａに転送する。
【００６６】
基地局１３の送信部１３ａは、基準タイミング源１４からタイミング信号Ｔｉｍｒｅｆを受けると、セカンダリセルにおける時間フレームの境界タイミングが、そのタイミング信号Ｔｉｍｒｅｆが示す基準タイミングと一致するように、自己が有する基準時計の時刻合わせを実施する。
基地局１３の受信部１３ｂは、基準タイミング源１４から出力されたタイミング信号Ｔｉｍｒｅｆをタイミング遅延部１６に転送する。
【００６７】
タイミング遅延部１６は、図１のタイミング遅延部１５と同様に、遅延時間Ｄを設定する。
この実施の形態２でも、上記実施の形態１と同様に、遅延時間ＤがＴ／２に設定されるものとする。
タイミング遅延部１６は、基地局１３の受信部１３ｂからタイミング信号Ｔｉｍｒｅｆを受けると、そのタイミング信号Ｔｉｍｒｅｆを遅延時間Ｄだけ遅延し、遅延後のタイミング信号Ｔｉｍｒｅｆを、セカンダリセルにおける時間フレームの境界タイミングを示すタイミング信号Ｔｉｍ２として制御装置１１の受信部１１ａに送信する。
【００６８】
これにより、遅延時間Ｄが０である場合、プライマリセルにおける時間フレームと、セカンダリセルにおける時間フレームとが同期するため、プライマリセルとセカンダリセルにおける時間フレームの境界タイミングやフレーム番号が一致する。
しかし、遅延時間Ｄが０より大きい場合、プライマリセルとセカンダリセルにおける時間フレームの境界タイミングやフレーム番号は一致しない。
例えば、プライマリセルとセカンダリセルにおける時間フレームのサブフレーム時間がＴであるとき、遅延時間ＤがＴ／２である場合、セカンダリセルにおける時間フレームの境界タイミングやフレーム番号は、プライマリセルにおける時間フレームの境界タイミングやフレーム番号よりＴ／２だけ遅れることになる。
この実施の形態２では、制御装置１１におけるリソース割当部１１ｂの処理能力を高めることなく、第１の無線信号に割り当てる通信リソース量Ｒｓ１の割当決定処理と、第２の無線信号に割り当てる通信リソース量Ｒｓ２の割当決定処理とを実施できることを目的としているため、遅延時間Ｄが０に設定される場合はなく、例えば、遅延時間ＤがＴ／２に設定される。
【００６９】
制御装置１１の受信部１１ａは、基地局１２の受信部１２ｂから転送されたトランスポートブロックＴＢ１の受信品質を示す制御情報と、プライマリセルにおける時間フレームの境界タイミングを示すタイミング信号Ｔｉｍ１とを受信する。
また、制御装置１１の受信部１１ａは、基地局１３の受信部１３ｂから転送されたトランスポートブロックＴＢ２の受信品質を示す制御情報と、セカンダリセルにおける時間フレームの境界タイミングを示すタイミング信号Ｔｉｍ２とを受信する。
【００７０】
ここで、図７は制御装置１１におけるリソース割当部１１ｂの処理タイミングと、基地局１２，１３における送信部１２ａ，１３ａの処理タイミングとを示すタイミングチャートである。
図７において、“△”はプライマリセルにおける時間フレームの境界タイミングを示し、“∧”はセカンダリセルにおける時間フレームの境界タイミングを示している。
【００７１】
制御装置１１のリソース割当部１１ｂは、受信部１１ａにより受信されたタイミング信号Ｔｉｍ１が示すプライマリセルにおける時間フレームの境界タイミングで、第１の無線信号に割り当てる通信リソース量Ｒｓ１の割当決定処理を開始する。図７では、通信リソース量Ｒｓ１の割当決定処理を“リソース割当（ａ）”のように表記している。
また、制御装置１１のリソース割当部１１ｂは、受信部１１ａにより受信されたタイミング信号Ｔｉｍ２が示すセカンダリセルにおける時間フレームの境界タイミングで、第２の無線信号に割り当てる通信リソース量Ｒｓ２の割当決定処理を開始する。図７では、通信リソース量Ｒｓ２の割当決定処理を“リソース割当（ｂ）”のように表記している。
【００７２】
遅延時間ＤがＴ／２である場合、図７に示すように、通信リソース量Ｒｓ１の割当決定処理が完了したタイミングで、通信リソース量Ｒｓ２の割当決定処理が開始される。
したがって、遅延時間Ｄが０である場合に、通信リソース量Ｒｓ１の割当決定処理と、通信リソース量Ｒｓ２の割当決定処理とをＴ／２の処理時間で実施するのに必要なリソース割当部１１ｂの処理能力を１００％とすると、遅延時間ＤがＴ／２である場合、リソース割当部１１ｂが５０％の処理能力を有していれば、通信リソース量Ｒｓ１，Ｒｓ２の割当決定処理をそれぞれＴ／２の処理時間で実施することができる。
【００７３】
制御装置１１の送信部１１ｃは、リソース割当部１１ｂによる通信リソース量Ｒｓ１の割当決定処理が完了すると、リソース割当部１１ｂにより決定された通信リソース量Ｒｓ１を基地局１２の送信部１２ａに送信する。
また、制御装置１１の送信部１１ｃは、リソース割当部１１ｂによる通信リソース量Ｒｓ２の割当決定処理が完了すると、リソース割当部１１ｂにより決定された通信リソース量Ｒｓ２を基地局１３の送信部１３ａに送信する。
【００７４】
基地局１２の送信部１２ａは、制御装置１１の送信部１１ｃから通信リソース量Ｒｓ１を受けると、第１の無線信号として、移動端末２に送信する情報データの中から、その通信リソース量Ｒｓ１に対応するデータサイズ分の情報データの切り出しを行う。
そして、基地局１２の送信部１２ａは、その切り出した情報データをトランスポートブロックＴＢ１に格納するＴＢ構築処理を実施する。図７では、その切り出した情報データをトランスポートブロックＴＢ１に格納するＴＢ構築処理を“ＴＢ構築（ａ）”のように表記している。
情報データをトランスポートブロックＴＢ１に格納するＴＢ構築処理の開始タイミングは、図７に示すように、遅延時間Ｄにかかわらず、通信リソース量Ｒｓ１の割当決定処理が完了した直後のタイミングである。
図７では、このＴＢ構築処理の処理時間がＴ／２である例を示しており、通信リソース量Ｒｓ１の割当決定処理とＴＢ構築処理との合計の処理時間が、プライマリセルにおける時間フレームのサブフレーム時間Ｔと一致している。
【００７５】
基地局１３の送信部１３ａは、制御装置１１の送信部１１ｃから通信リソース量Ｒｓ２を受けると、第２の無線信号として、移動端末２に送信する情報データの中から、その通信リソース量Ｒｓ２に対応するデータサイズ分の情報データの切り出しを行う。
そして、基地局１３の送信部１３ａは、その切り出した情報データをトランスポートブロックＴＢ２に格納するＴＢ構築処理を実施する。図７では、その切り出した情報データをトランスポートブロックＴＢ２に格納するＴＢ構築処理を“ＴＢ構築（ｂ）”のように表記している。
情報データをトランスポートブロックＴＢ２に格納するＴＢ構築処理の開始タイミングは、図７に示すように、遅延時間Ｄにかかわらず、通信リソース量Ｒｓ２の割当決定処理が完了した直後のタイミングである。
遅延時間ＤがＴ／２である場合、図７に示すように、通信リソース量Ｒｓ１の割当決定処理が完了したタイミングで、通信リソース量Ｒｓ２の割当決定処理が開始されるため、情報データをトランスポートブロックＴＢ１に格納するＴＢ構築処理が完了したタイミングで、情報データをトランスポートブロックＴＢ２に格納するＴＢ構築処理が開始される。
【００７６】
基地局１２の送信部１２ａは、ＴＢ構築処理が完了すると、次のサブフレームの制御チャネルにリソース割当部１１ｂにより決定された通信リソース量Ｒｓ１を示す制御情報を含めるとともに、同じサブフレームのデータチャネルにトランスポートブロックＴＢ１を含め、プライマリセルにおける時間フレームの次の境界タイミングで、プライマリセルを用いて、その制御情報とトランスポートブロックＴＢ１を移動端末２の通信部２１に送信する。
図７の例では、左から２番目の境界タイミング“△”で、制御情報とトランスポートブロックＴＢ１を移動端末２の通信部２１に送信している。
【００７７】
基地局１３の送信部１３ａは、ＴＢ構築処理が完了すると、次のサブフレームの制御チャネルにリソース割当部１１ｂにより決定された通信リソース量Ｒｓ２を示す制御情報を含めるとともに、同じサブフレームのデータチャネルにトランスポートブロックＴＢ２を含め、セカンダリセルにおける時間フレームの次の境界タイミングで、セカンダリセルを用いて、その制御情報とトランスポートブロックＴＢ２を移動端末２の通信部２２に送信する。
図７の例では、左から３番目の境界タイミング“∧”で、制御情報とトランスポートブロックＴＢ２を移動端末２の通信部２２に送信している。
【００７８】
以上で明らかなように、この実施の形態２によれば、制御装置１１が、プライマリセルにおける時間フレームの境界タイミングで、第１の無線信号に割り当てる通信リソース量Ｒｓ１の割当決定処理を開始し、その時間フレームの境界タイミングから遅延時間Ｄが経過したタイミングで、第２の無線信号に割り当てる通信リソース量の割当決定処理を開始するように構成したので、制御装置１１の処理能力を高めることなく、通信リソース量の割当決定処理を実施することができる効果を奏する。
即ち、制御装置１１は、Ｔ／２の時間中に、通信リソース量Ｒｓ１の割当決定処理における処理負荷を実行できる処理能力と、通信リソース量Ｒｓ２の割当決定処理における処理負荷とを同時に実行できる処理能力を備えている必要がない。したがって、プライマリセルとセカンダリセルを用いるキャリアアグリゲーションを行う場合でも、制御装置１１は、例えば、通信リソース量Ｒｓ１の割当決定処理における処理負荷を実行できる処理能力を備えていればよく、制御装置１１の処理能力を高める必要がない。
【００７９】
この実施の形態２では、タイミング遅延部１６が基地局１３と制御装置１１の間に挿入されているものを示しているが、図８に示すように、タイミング遅延部１６が基地局１２と制御装置１１の間に挿入されているようにしてもよい。
図８はこの発明の実施の形態２による他の移動通信システムを示す構成図であり、図８において、図６と同一符号は同一または相当部分を示すので説明を省略する。
タイミング遅延部１６が基地局１２と制御装置１１の間に挿入される場合、セカンダリセルが第１のセルとして扱われ、プライマリセルが第２のセルとして扱われる。
【００８０】
基地局１２の受信部１２ｂは、基準タイミング源１４から出力されたタイミング信号Ｔｉｍｒｅｆをタイミング遅延部１６に転送する。
タイミング遅延部１６は、基地局１２の受信部１２ｂからタイミング信号Ｔｉｍｒｅｆを受けると、そのタイミング信号Ｔｉｍｒｅｆを遅延時間Ｄだけ遅延し、遅延後のタイミング信号Ｔｉｍｒｅｆを、プライマリセルにおける時間フレームの境界タイミングを示すタイミング信号Ｔｉｍ１として制御装置１１の受信部１１ａに送信する。
基地局１３の受信部１３ｂは、基準タイミング源１４から出力されたタイミング信号Ｔｉｍｒｅｆを、セカンダリセルにおける時間フレームの境界タイミングを示すタイミング信号Ｔｉｍ２として制御装置１１の受信部１１ａに転送する。
【００８１】
これにより、制御装置１１のリソース割当部１１ｂでは、基地局１３の受信部１３ｂから転送されたタイミング信号Ｔｉｍ２が示すセカンダリセルにおける時間フレームの境界タイミングで、第２の無線信号に割り当てる通信リソース量Ｒｓ２の割当決定処理を開始したのち、タイミング遅延部１６から送信されたタイミング信号Ｔｉｍ１が示すプライマリセルにおける時間フレームの境界タイミングで、第１の無線信号に割り当てる通信リソース量Ｒｓ１の割当決定処理を開始する。
この場合も、制御装置１１では、例えば、通信リソース量Ｒｓ１の割当決定処理における処理負荷を実行できる処理能力を備えていればよく、制御装置１１の処理能力を高める必要がない。
【００８２】
また、この実施の形態２では、タイミング遅延部１６が基地局１３と制御装置１１の間に挿入されているものを示しているが、図９に示すように、タイミング遅延部１６が基地局１３と制御装置１１の間に挿入されているとともに、タイミング遅延部１６が基地局１２と制御装置１１の間に挿入されているようにしてもよい。
図９はこの発明の実施の形態２による他の移動通信システムを示す構成図であり、図９において、図６と同一符号は同一または相当部分を示すので説明を省略する。
この場合、第１の無線信号に割り当てる通信リソース量Ｒｓ１の割当決定処理と、第２の無線信号に割り当てる通信リソース量Ｒｓ２の割当決定処理とがシリアルに実施されるように、２つのタイミング遅延部１６が遅延時間Ｄを設定すればよい。
【００８３】
基地局１３と制御装置１１の間に挿入されるタイミング遅延部１６が設定する遅延時間をＤ１、基地局１２と制御装置１１の間に挿入されるタイミング遅延部１６が設定する遅延時間をＤ２とすると、例えば、その遅延時間Ｄ１と遅延時間Ｄ２の時間差がＴ／２であれば、第１の無線信号に割り当てる通信リソース量Ｒｓ１の割当決定処理と、第２の無線信号に割り当てる通信リソース量Ｒｓ２の割当決定処理とがシリアルに実施される。
この場合も、制御装置１１では、例えば、通信リソース量Ｒｓ１の割当決定処理における処理負荷を実行できる処理能力を備えていればよく、制御装置１１の処理能力を高める必要がない。
【００８４】
また、この実施の形態２では、基地局１２，１３の送信部１２ａ，１３ａがＴＢ構築処理を実施するものについて示したが、制御装置１１の送信部１１ｃがＴＢ構築処理を実施するようにしてもよい。
以下、制御装置１１の送信部１１ｃがＴＢ構築処理を実施する場合の処理内容を説明する。説明の便宜上、移動通信システムの構成図が図６であるとして説明する。
図１０は制御装置１１におけるリソース割当部１１ｂの処理タイミングと、基地局１２，１３における送信部１２ａ，１３ａの処理タイミングとを示すタイミングチャートである。
図１０において、ＳＦ＃０，ＳＦ＃１，ＳＦ＃２はサブフレーム番号を示している。
【００８５】
制御装置１１のリソース割当部１１ｂは、基地局１２の受信部１２ｂからプライマリセルにおける時間フレームの境界タイミングを示すタイミング信号Ｔｉｍ１を受けると、第１の無線信号に割り当てる通信リソース量Ｒｓ１の割当決定処理を開始する。
図１０の例では、ＳＦ＃０のサブフレーム境界タイミングで、第１の無線信号に割り当てる通信リソース量Ｒｓ１の割当決定処理を開始している。
制御装置１１のリソース割当部１１ｂは、第１の無線信号に割り当てる通信リソース量Ｒｓ１の割当決定処理が完了すると、サブフレーム番号と通信リソース量Ｒｓ１を含む割当結果メッセージを送信部１１ｃに出力する。
【００８６】
また、制御装置１１のリソース割当部１１ｂは、タイミング遅延部１６からセカンダリセルにおける時間フレームの境界タイミングを示すタイミング信号Ｔｉｍ２を受けると、第２の無線信号に割り当てる通信リソース量Ｒｓ２の割当決定処理を開始する。
図１０の例では、ＳＦ＃０のサブフレーム境界タイミングよりＴ／２の時間だけ遅いタイミングで、第２の無線信号に割り当てる通信リソース量Ｒｓ２の割当決定処理を開始している。
制御装置１１のリソース割当部１１ｂは、第２の無線信号に割り当てる通信リソース量Ｒｓ２の割当決定処理が完了すると、サブフレーム番号と通信リソース量Ｒｓ２を含む割当結果メッセージを送信部１１ｃに出力する。
【００８７】
図１１はサブフレーム番号と通信リソース量を含む割当結果メッセージを示す説明図である。
割当結果メッセージに含まれるサブフレーム番号は、通信リソース量Ｒｓ１又はＲｓ２を示す制御情報と、トランスポートブロックＴＢ１又はＴＢ２とが含められるサブフレームを識別する番号である。
図１０の例では、割当結果メッセージに含まれるサブフレーム番号がＳＦ＃２となる。
【００８８】
制御装置１１の送信部１１ｃは、リソース割当部１１ｂから通信リソース量Ｒｓ１の割当決定処理に対する割当結果メッセージを受けると、第１の無線信号として、移動端末２に送信する情報データの中から、その割当結果メッセージに含まれている通信リソース量Ｒｓ１に対応するデータサイズ分の情報データの切り出しを行う。
そして、制御装置１１の送信部１１ｃは、その切り出した情報データをトランスポートブロックＴＢ１に格納するＴＢ構築処理を実施する。図１０では、その切り出した情報データをトランスポートブロックＴＢ１に格納するＴＢ構築処理を“ＴＢ構築（ａ）”のように表記している。
制御装置１１の送信部１１ｃは、ＴＢ構築処理が完了すると、割当結果メッセージに含まれているサブフレーム番号ＳＦ＃２と、その通信リソース量Ｒｓ１と、そのトランスポートブロックＴＢ１とを基地局１２の送信部１２ａに出力する。
【００８９】
また、制御装置１１の送信部１１ｃは、リソース割当部１１ｂから通信リソース量Ｒｓ２の割当決定処理に対する割当結果メッセージを受けると、第２の無線信号として、移動端末２に送信する情報データの中から、その割当結果メッセージに含まれている通信リソース量Ｒｓ２に対応するデータサイズ分の情報データの切り出しを行う。
そして、制御装置１１の送信部１１ｃは、その切り出した情報データをトランスポートブロックＴＢ２に格納するＴＢ構築処理を実施する。図１０では、その切り出した情報データをトランスポートブロックＴＢ２に格納するＴＢ構築処理を“ＴＢ構築（ｂ）”のように表記している。
制御装置１１の送信部１１ｃは、ＴＢ構築処理が完了すると、割当結果メッセージに含まれているサブフレーム番号ＳＦ＃２と、その通信リソース量Ｒｓ２と、そのトランスポートブロックＴＢ２とを基地局１３の送信部１３ａに出力する。
【００９０】
基地局１２の送信部１２ａは、制御装置１１の送信部１１ｃからフレーム番号ＳＦ＃２、通信リソース量Ｒｓ１及びトランスポートブロックＴＢ１を受けると、サブフレーム番号ＳＦ＃２のサブフレームにおける制御チャネルに、その通信リソース量Ｒｓ１を示す制御情報を含め、サブフレーム番号ＳＦ＃２のサブフレームにおけるデータチャネルにトランスポートブロックＴＢ１を含める。
そして、基地局１２の送信部１２ａは、プライマリセルを用いて、その制御情報とトランスポートブロックＴＢ１を移動端末２の通信部２１に送信する。
【００９１】
基地局１３の送信部１３ａは、制御装置１１の送信部１１ｃからフレーム番号ＳＦ＃２、通信リソース量Ｒｓ２及びトランスポートブロックＴＢ２を受けると、サブフレーム番号ＳＦ＃２のサブフレームにおける制御チャネルに、その通信リソース量Ｒｓ２を示す制御情報を含め、サブフレーム番号ＳＦ＃２のサブフレームにおけるデータチャネルにトランスポートブロックＴＢ２を含める。
そして、基地局１３の送信部１３ａは、セカンダリセルを用いて、その制御情報とトランスポートブロックＴＢ２を移動端末２の通信部２２に送信する。
【００９２】
ここでは、基地局１２の送信部１２ａが、プライマリセルを用いて、その制御情報とトランスポートブロックＴＢ１を移動端末２の通信部２１に送信するタイミングが、ＳＦ＃０のサブフレーム境界タイミングより２つ先のサブフレームである例を示している。
しかし、これは一例に過ぎず、例えば、ＳＦ＃０のサブフレーム境界タイミングより１つ先のサブフレームであるとすれば、図７に示すタイミングチャートと同じタイミングとなる。
【００９３】
実施の形態３．
上記実施の形態１では、図３に示すように、制御装置１１のリソース割当部１１ｂが、第１の無線信号に割り当てる通信リソース量Ｒｓ１の割当決定処理を開始してから、基地局１２の送信部１２ａによるトランスポートブロックＴＢ１等の送信が完了するまでに要する所要時間が２Ｔの時間である。また、第２の無線信号に割り当てる通信リソース量Ｒｓ２の割当決定処理を開始してから、基地局１３の送信部１３ａによるトランスポートブロックＴＢ２等の送信が完了するまでに要する所要時間が２Ｔの時間である。したがって、両者の所要時間に差が生じない。
【００９４】
これに対して、上記実施の形態２では、図７に示すように、制御装置１１のリソース割当部１１ｂが、第１の無線信号に割り当てる通信リソース量Ｒｓ１の割当決定処理を開始してから、基地局１２の送信部１２ａによるトランスポートブロックＴＢ１等の送信が完了するまでに要する所要時間が２Ｔの時間である。また、第２の無線信号に割り当てる通信リソース量Ｒｓ２の割当決定処理を開始してから、基地局１３の送信部１３ａによるトランスポートブロックＴＢ２等の送信が完了するまでに要する所要時間が２．５Ｔの時間である。したがって、両者の所要時間に差が生じており、基地局１２と比べて、基地局１３での通信遅延時間が増加している。
【００９５】
基地局１２，１３による送信アプリケーションが、例えば、ファイル転送のようなアプリケーションの場合、実用上問題になることは少ないと考えられるが、リアルタイム性を要求するアプリケーションの場合、基地局１３での通信遅延時間の増加が許容されない場合もあり得る。
この実施の形態３では、低遅延が要求される情報データについての通信遅延時間の増加を抑えることが可能な移動通信システムについて説明する。
即ち、この実施の形態３では、制御装置１１が、移動端末２に送信する情報データの許容遅延時間が第１の遅延時間であれば、当該情報データを第１の無線信号に含め、移動端末２に送信する情報データの許容遅延時間が第１の遅延時間より長い第２の遅延時間であれば、当該情報データを第２の無線信号に含める。
そして、第１の無線信号に割り当てる通信リソース量Ｒｓ１を決定し、第２の無線信号に割り当てる通信リソース量Ｒｓ２を決定する移動通信システムについて説明する。
【００９６】
図１２はこの発明の実施の形態３による移動通信システムを示す構成図であり、図１２において、図６と同一符号は同一または相当部分を示すので説明を省略する。
制御装置１１のリソース割当部１１ｄは移動端末２に送信する情報データに対応する下り要求遅延クラスが低遅延クラスであれば、当該情報データを第１の無線信号に含め、移動端末２に送信する情報データに対応する下り要求遅延クラスが高遅延クラスであれば、当該情報データを第２の無線信号に含める。低遅延クラスの情報データは、許容される遅延時間が小さい情報データを意味し、高遅延クラスの情報データ、許容される遅延時間が大きい情報データを意味する。
また、制御装置１１のリソース割当部１１ｄは図６のリソース割当部１１ｂと同様に、受信部１１ａによりタイミング信号Ｔｉｍ１が受信されたタイミングで、第１の無線信号に割り当てる通信リソース量Ｒｓ１の割当決定処理を開始し、受信部１１ａによりタイミング信号Ｔｉｍ２が受信されたタイミングで、第２の無線信号に割り当てる通信リソース量Ｒｓ２の割当決定処理を開始する。
【００９７】
ここでは、制御装置１１のリソース割当部１１ｄが、図６の移動通信システムに適用される例を示しているが、これは一例に過ぎず、例えば、図１の移動通信システムに適用されるものであってもよい。
また、制御装置１１のリソース割当部１１ｄが、図４又は図８の移動通信システムに適用されるものであってもよいが、この場合、リソース割当部１１ｄは、移動端末２に送信する情報データに対応する下り要求遅延クラスが低遅延クラスであれば、当該情報データを第２の無線信号に含め、移動端末２に送信する情報データに対応する下り要求遅延クラスが高遅延クラスであれば、当該情報データを第１の無線信号に含める。
【００９８】
遅延クラス出力部２４は情報データのデータフォームに対応する下り要求遅延クラスを制御部２３に出力する処理を実施する。
制御部２３は上記実施の形態１，２と同様に、通信部２１，２２の送信部２１ｂ，２２ｂに対して、通信部２１，２２の受信部２１ａ，２２ａにより測定された受信品質を示す制御情報を送信する旨の指令を出力するなどの制御を行うほか、遅延クラス出力部２４から出力された下り要求遅延クラスを、通信部２１，２２の送信部２１ｂ，２２ｂを介して、下り要求遅延クラスを基地局装置１に送信する。
【００９９】
図１３は移動端末２の遅延クラス出力部２４を示す構成図である。
図１３において、クライアント部３１は例えばＣＰＵを実装している半導体集積回路、あるいは、ワンチップマイコンなどから構成されており、移動端末２が実行するアプリケーションにより通信される情報データのデータフォームを遅延クラス設定部３３に出力する処理を実施する。
移動端末２が実行するアプリケーションとしては、例えば、チャットサービスを行うアプリケーションなどが考えられ、情報データのデータフォームとしては、文字、音声、映像、ファイルなどが考えられる。
【０１００】
遅延クラス記憶部３２は例えばＲＡＭやハードディスクなどの記憶装置で実現されるものであり、情報データのデータフォームに対応する下り要求遅延クラスを記憶している。
例えば、アプリケーションにより通信される情報データのデータフォームが音声や映像であれば、下り要求遅延クラスとして、許容される遅延時間が小さい低遅延クラスが記憶され、情報データのデータフォームが文字やファイルであれば、下り要求遅延クラスとして、許容される遅延時間が大きい高遅延クラスが記憶されている。
ただし、遅延クラス記憶部３２に記憶されているデータフォームに対応する下り要求遅延クラスは、あくまでも一例である。
【０１０１】
遅延クラス設定部３３は例えばＣＰＵを実装している半導体集積回路、あるいは、ワンチップマイコンなどから構成されており、遅延クラス記憶部３２に記憶されている下り要求遅延クラスの中から、クライアント部３１から出力されたデータフォームに対応する下り要求遅延クラスを取得し、その下り要求遅延クラスを制御部２３に出力する。
【０１０２】
次に動作について説明する。
移動端末２における遅延クラス出力部２４のクライアント部３１は、移動端末２が実行するアプリケーションにより通信される情報データのデータフォームを遅延クラス設定部３３に出力する。
遅延クラス出力部２４の遅延クラス設定部３３は、クライアント部３１から情報データのデータフォームを受けると、遅延クラス記憶部３２に記憶されている下り要求遅延クラスの中から、そのデータフォームに対応する下り要求遅延クラスを取得する。
例えば、アプリケーションにより通信される情報データのデータフォームが音声や映像であれば、下り要求遅延クラスとして、許容される遅延時間が小さい低遅延クラスを取得する。
また、アプリケーションにより通信される情報データのデータフォームが文字やファイルであれば、下り要求遅延クラスとして、許容される遅延時間が大きい高遅延クラスを取得する。
【０１０３】
遅延クラス出力部２４の遅延クラス設定部３３は、情報データのデータフォームに対応する下り要求遅延クラスを取得すると、図１４に示すように、情報データＩＤ（ＩＤｅｎｔｉｆｉｃａｔｉｏｎ）と下り要求遅延クラスを含む遅延クラスメッセージを制御情報として制御部２３に出力する。情報データＩＤは情報データを識別するＩＤである。
図１４は情報データＩＤと下り要求遅延クラスを含む遅延クラスメッセージを示す説明図である。
制御部２３は、遅延クラス出力部２４の遅延クラス設定部３３から遅延クラスメッセージである制御情報を受けると、その制御情報を通信部２１に出力する。
通信部２１の送信部２１ｂは、制御部２３から遅延クラスメッセージである制御情報を受けると、プライマリセルにおける時間フレームの上り制御チャネルに、その制御情報を含め、プライマリセルを用いて、その制御情報を基地局１２に送信する。
【０１０４】
ここでは、制御部２３が、遅延クラスメッセージである制御情報を通信部２１に出力しているが、通信部２２に出力するようにしてもよい。
通信部２２の送信部２２ｂは、制御部２３から遅延クラスメッセージである制御情報を受けると、セカンダリセルにおける時間フレームの上り制御チャネルに、その制御情報を含め、セカンダリセルを用いて、その制御情報を基地局１３に送信する。
また、ここでは、制御情報を制御チャネルに含めるようにしているが、制御情報をデータチャネルに含めるようにしてもよい。
【０１０５】
基地局１２の受信部１２ｂは、移動端末２の通信部２１から送信された遅延クラスメッセージである制御情報を受信すると、その制御情報を制御装置１１に転送する。
制御装置１１の受信部１１ａは、基地局１２の受信部１２ｂにより転送された制御情報を受信し、その制御情報をリソース割当部１１ｄに出力する。
制御装置１１のリソース割当部１１ｄは、制御装置１１の受信部１１ａから出力された制御情報に含まれている下り要求遅延クラスが低遅延クラスであれば、その制御情報に含まれている情報データＩＤが示す情報データを第１の無線信号に含める。
制御装置１１のリソース割当部１１ｄは、制御装置１１の受信部１１ａから出力された制御情報に含まれている下り要求遅延クラスが高遅延クラスであれば、その制御情報に含まれている情報データＩＤが示す情報データを第２の無線信号に含める。
図１５は制御装置１１におけるリソース割当部１１ｄの処理内容を示すフローチャートである。
以下、図１５を参照しながら、リソース割当部１１ｄの処理内容を具体的に説明する。
【０１０６】
制御装置１１のリソース割当部１１ｄは、制御装置１１の受信部１１ａが基地局１２の受信部１２ｂから送信された遅延クラスメッセージである制御情報を受信することで、制御装置１１の受信部１１ａから制御情報を受けると（図１５のステップＳＴ１：ＹＥＳの場合）、その制御情報に含まれている下り要求遅延クラスが低遅延クラスであるか否かを判定する（ステップＳＴ２）。
リソース割当部１１ｄは、その制御情報に含まれている下り要求遅延クラスが低遅延クラスであれば（ステップＳＴ２：ＹＥＳの場合）、移動端末２に送信する複数の情報データのうち、その制御情報に含まれている情報データＩＤが示す情報データを第１の無線信号に含める（ステップＳＴ３）。
リソース割当部１１ｄは、その制御情報に含まれている下り要求遅延クラスが高遅延クラスであれば（ステップＳＴ２：ＮＯの場合）、移動端末２に送信する複数の情報データのうち、その制御情報に含まれている情報データＩＤが示す情報データを第２の無線信号に含める（ステップＳＴ４）。
【０１０７】
リソース割当部１１ｄは、制御装置１１の受信部１１ａが基地局１２の受信部１２ｂから送信された遅延クラスメッセージである制御情報を受信していないとき（ステップＳＴ１：ＮＯの場合）、基地局１２の受信部１２ｂから送信されたタイミング信号Ｔｉｍ１を受信することで、制御装置１１の受信部１１ａからタイミング信号Ｔｉｍ１を受けると（ステップＳＴ５：ＹＥＳの場合）、図６のリソース割当部１１ｂと同様に、受信部１１ａによりタイミング信号Ｔｉｍ１が受信されたタイミングで、第１の無線信号に割り当てる通信リソース量Ｒｓ１の割当決定処理を開始して、通信リソース量Ｒｓ１を決定する（ステップＳＴ６）。
【０１０８】
リソース割当部１１ｄは、第１の無線信号に割り当てる通信リソース量Ｒｓ１を決定すると、その通信リソース量Ｒｓ１に対応するデータサイズ分の情報データを送信するために、プライマリセルの通信リソースを利用しても、未だプライマリセルの通信リソースに残余があるか否かを判定する（ステップＳＴ７）。
リソース割当部１１ｄは、プライマリセルの通信リソースに残余がある場合（ステップＳＴ７：ＹＥＳの場合）、第２の無線信号に含めている情報データのうち、プライマリセルの通信リソースにおける残余のデータサイズと同サイズ以下の情報データを第１の無線信号に含めなおし、当該第１の無線信号に割り当てる通信リソース量Ｒｓ１の割当決定処理を開始して、通信リソース量Ｒｓ１を決定する（ステップＳＴ８）。
リソース割当部１１ｄは、プライマリセルの通信リソースに残余がない場合（ステップＳＴ７：ＮＯの場合）、ステップＳＴ１の処理に戻る。
【０１０９】
リソース割当部１１ｄは、制御装置１１の受信部１１ａが基地局１２の受信部１２ｂから送信された遅延クラスメッセージである制御情報を受信していないとき（ステップＳＴ１：ＮＯの場合）、タイミング遅延部１６から送信されたタイミング信号Ｔｉｍ２を受信することで、制御装置１１の受信部１１ａからタイミング信号Ｔｉｍ２を受けると（ステップＳＴ５：ＮＯの場合、ステップＳＴ９：ＹＥＳの場合）、図６のリソース割当部１１ｂと同様に、受信部１１ａによりタイミング信号Ｔｉｍ２が受信されたタイミングで、第２の無線信号に割り当てる通信リソース量Ｒｓ２の割当決定処理を開始して、通信リソース量Ｒｓ２を決定する（ステップＳＴ１０）。
この通信リソース量Ｒｓ２の割当決定処理では、ステップＳＴ８において、既に通信リソース量Ｒｓ１が決定されている情報データは処理の対象外される。
なお、制御装置１１の受信部１１ａからタイミング信号Ｔｉｍ２を受けていなければ（ステップＳＴ５：ＮＯの場合、ステップＳＴ９：ＮＯの場合）、ステップＳＴ１の処理に戻る。
【０１１０】
以上で明らかなように、この実施の形態３によれば、制御装置１１のリソース割当部１１ｄが、移動端末２に送信する情報データに対応する下り要求遅延クラスが低遅延クラスであれば、当該情報データを第１の無線信号に含め、移動端末２に送信する情報データに対応する下り要求遅延クラスが高遅延クラスであれば、当該情報データを第２の無線信号に含めるように構成したので、制御装置１１の処理能力を高めることなく、通信リソース量の割当決定処理を実施することができるほか、低遅延が要求される情報データについての通信遅延時間の増加を抑えることができる効果を奏する。
【０１１１】
この実施の形態３では、移動端末２が、制御チャネルを用いて、下り要求遅延クラスを含む遅延クラスメッセージを制御情報として基地局装置１に送信するものを示したが、基地局装置１が移動端末２に対して、第１及び第２の無線信号の送信を開始する前に、移動端末２と基地局装置１が呼制御プロトコルを実施することで、下り要求遅延クラスを含む遅延クラスメッセージを送受信するようにしてもよい。
【０１１２】
この実施の形態３では、移動端末２が、低遅延クラス又は高遅延クラスを示す下り要求遅延クラスを含む遅延クラスメッセージを制御情報として基地局装置１に送信するものを示したが、移動端末２が、下り要求遅延クラスが低遅延クラスである場合に限り、その下り要求遅延クラスを含む遅延クラスメッセージを制御情報として基地局装置１に送信し、基地局装置１では、移動端末２から遅延クラスメッセージが送信されてこなければ、下り要求遅延クラスが高遅延クラスであると判断するようにしてもよい。
この場合、下り要求遅延クラスが高遅延クラスである場合の遅延クラスメッセージの送信を省略することができる。
【０１１３】
この実施の形態３では、下り要求遅延クラスが、低遅延クラスと高遅延クラスの２クラスに分類されている例を示したが、下り要求遅延クラスが３クラス以上に分類されているものであってもよい。
下り要求遅延クラスが３クラス以上に分類される場合、例えば、３種類以上のセルを用いる移動通信システムに適用することができる。
【０１１４】
この実施の形態３では、基地局１２，１３が、通信リソース量Ｒｓ１，Ｒｓ２を示す制御情報と、トランスポートブロックＴＢ１，ＴＢ２とを移動端末２に送信するものを示したが、制御装置１１が、プライマリセルでの第１の無線信号の通信遅延時間や、セカンダリセルでの第２の無線信号の通信遅延時間を基地局１２，１３及び移動端末２に通知するようにしてもよい。
【０１１５】
例えば、制御装置１１は、プライマリセルにおける時間フレームの境界タイミングから、制御情報及びトランスポートブロックＴＢ１の送信完了に要するまでの遅延時間（以下、「プライマリセル側の下り送信遅延時間」と称する）を含むメッセージを基地局１２に出力し、セカンダリセルにおける時間フレームの境界タイミングから、制御情報及びトランスポートブロックＴＢ２の送信完了に要するまでの遅延時間（以下、「セカンダリセル側の下り送信遅延時間」と称する）を含むメッセージを基地局１３に出力する。
基地局１２は、制御装置１１から出力されたプライマリセル側の下り送信遅延時間を含むメッセージを移動端末２に送信し、基地局１３は、制御装置１１から出力されたセカンダリセル側の下り送信遅延時間を含むメッセージを移動端末２に送信する。
移動端末２は、基地局１２から送信されたメッセージを受信すると、そのメッセージに含まれているプライマリセル側の下り送信遅延時間を認識し、基地局１３から送信されたメッセージを受信すると、そのメッセージに含まれているセカンダリセル側の下り送信遅延時間を認識することができる。
【０１１６】
このとき、移動端末２が、クライアント部３１から出力される情報データのデータフォームと、通信遅延時間の許容最大値とが対応付けられているテーブルを保持するようにすれば、移動端末２は、そのデータフォームに対応する通信遅延時間の許容最大値と、基地局１２，１３から送信されたメッセージに含まれている下り送信遅延時間とを比較することで、下り送信遅延時間が許容最大値以内となるセルを選択することが可能になる。
例えば、セカンダリセル側の下り送信遅延時間は、通信遅延時間の許容最大値より大きいが、プライマリセル側の下り送信遅延時間が通信遅延時間の許容最大値以内であれば、下り送信遅延時間が許容最大値以内となるセルとして、プライマリセルを選択することが可能になる。
【０１１７】
このとき、制御装置１１のリソース割当部１１ｄが、移動端末２から送信された制御情報を参照して、情報データのデータフォームとセルの対応関係を記憶するように構成されていれば、リソース割当部１１ｄは、記憶している対応関係を参照して、移動端末２に送信する情報データのデータフォームに対応するセルがプライマリセルであれば、その情報データを第１の無線信号に含めることができる。
また、リソース割当部１１ｄは、移動端末２に送信する情報データのデータフォームに対応するセルがセカンダリセルであれば、その情報データを第２の無線信号に含めることができる。
【０１１８】
ここでは、基地局１２が、プライマリセル側の下り送信遅延時間を含むメッセージを移動端末２に送信し、基地局１３が、セカンダリセル側の下り送信遅延時間を含むメッセージを移動端末２に送信するものを示したが、基地局１２が、プライマリセル側の下り送信遅延時間を含むメッセージのほかに、セカンダリセル側の下り送信遅延時間を含むメッセージを移動端末２に送信するようにしてもよいし、基地局１３が、セカンダリセル側の下り送信遅延時間を含むメッセージのほかに、プライマリセル側の下り送信遅延時間を含むメッセージを移動端末２に送信するようにしてもよい。
また、基地局１２，１３が、無線リソース制御信号であるＲＲＣ個別信号によって、下り送信遅延時間を含むメッセージを事前に移動端末２に配信するようにしてもよい。
【０１１９】
基地局１２，１３から移動端末２に送信されるメッセージに含まれる下り送信遅延時間としては、例えば、マイクロ秒などの時間が想定されるが、プライマリセル及びセカンダリセルにおける時間フレームでのサブフレームの時間を単位時間として、分数や小数で表現されるものであってもよい。
また、基地局１２，１３から移動端末２に送信されるメッセージに含まれる下り送信遅延時間は、プライマリセル又はセカンダリセルにおける時間フレームの境界タイミングを基準とする遅延量を絶対時間として表現されるものが考えられる。
また、セカンダリセル側の下り送信遅延時間は、プライマリセル側の下り送信遅延時間に対する差分を示す相対時間で表現されるものであってもよい。
【０１２０】
移動端末２、基地局１２，１３及び制御装置１１は、下り送信遅延時間に応じてプライマリセル及びセカンダリセルに関する動作を変えるように構成してもよい。
例えば、３ＧＰＰ  ＴＳ  ３６．２１３（ｃｌａｕｓｅ  ８）では、ＨＡＲＱ（Ｈｙｂｒｉｄ  Ａｕｔｏｍａｔｉｃ  Ｒｅｐｅａｔ  ｒｅＱｕｅｓｔ）再送制御に関して、データチャネルの受信から、その送達応答（ＡＣＫ／ＮＡＣＫ）を制御チャネルで返送するまでのサブフレーム数、送達応答の受信からデータチャネルを再送するまでのサブフレーム数、再送プロセス数などが規定されている。
例えば、ＦＤＤ（Ｆｒｅｑｕｅｎｃｙ  Ｄｅｖｉｓｉｏｎ  Ｄｕｐｌｅｘ）方式の場合、送達応答は４サブフレーム後、再送は４サブフレーム後、再送プロセス数は往復で合計８サブフレームの遅延に対応して８プロセスと規定されている。
【０１２１】
例えば、制御装置１１におけるリソース割当部１１ｄの処理タイミングと、基地局１２，１３における送信部１２ａ，１３ａの処理タイミングとが図７のタイミングチャートで表される場合、プライマリセル及びセカンダリセルにおける時間フレームの境界タイミング“△” ，“∧”を基準にして、プライマリセル側の下り送信遅延時間が２Ｔであるのに対して、セカンダリセル側の下り送信遅延時間が３Ｔであり、プライマリセル側の下り送信遅延時間より１Ｔだけ大きい。
移動端末２では、基地局１２，１３から送信されたメッセージに含まれている下り送信遅延時間を参照することで、セカンダリセル側の下り送信遅延時間がプライマリセル側の下り送信遅延時間より１Ｔだけ大きいことを認識することができる。このため、移動端末２では、基地局１３に対する送達応答を標準より例えば１サブフレーム分早く返送することで、例えば、往復で合計８サブフレームの遅延を維持するように構成してもよい。
あるいは、制御装置１１が、受信した送達応答を標準より例えば１サブフレーム分早いリソース割当処理（ｂ）に適用することで、例えば、往復で合計８サブフレームの遅延を維持するように構成してもよい。
あるいは、移動端末２と制御装置１１が標準通りのサブフレーム数で送達応答を送受信し、セカンダリセルの再送プロセス数を例えば１サブフレーム分増やして動作するようにしてもよい。
【０１２２】
ＴＤＤ（Ｔｉｍｅ  Ｄｅｖｉｓｉｏｎ  Ｄｕｐｌｅｘ）方式の場合の送達応答、再送のサブフレーム数、再送プロセス数の規定は、より複雑であるため、ここでは説明しないが、ＦＤＤ方式の場合と同様に、移動端末２、基地局１２，１３及び制御装置１１が、下り送信遅延時間に応じてプライマリセル及びセカンダリセルに関するＨＡＲＱ動作を変えるように構成することができる。
【０１２３】
上記実施の形態１，２，３では、キャリアアグリゲーションで同時に用いるセルの数が２つである場合を説明しているが、３つ以上のセルを同時に用いて、３つ以上の無線信号を同時に送信するようにしてもよい。
また、上記実施の形態１，２，３では、３ＧＰＰで標準化されているキャリアアグリゲーションに適用する移動通信システムについて説明しているが、３ＧＰＰで標準化されているキャリアアグリゲーションに適用するものに限るものではなく、基地局が複数のコンポーネントキャリアを用いて通信を行うものであれば、どのような移動通信システムであってもよい。
【０１２４】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【０１２５】
この発明に係る基地局装置及び移動通信システムは、制御装置が、第１の搬送波の時間フレームにおけるフレーム間のタイミングで、第１の通信リソース量の割当決定処理を開始し、その時間フレームにおけるフレーム間のタイミングから遅延時間が経過したタイミングで、第２の通信リソース量の割当決定処理を開始するように構成して、制御装置の処理能力を高めることなく、通信リソース量の割当決定処理を実施することができるように構成したので、基地局が複数のコンポーネントキャリアを用いて通信を行う移動通信システムに用いるのに適している。
【符号の説明】
【０１２６】
１  基地局装置、２  移動端末、１１  制御装置、１１ａ  受信部、１１ｂ  リソース割当部、１１ｃ  送信部、１２  基地局、１２ａ  送信部、１２ｂ  受信部、１３  基地局、１３ａ  送信部、１３ｂ  受信部、１４  基準タイミング源、１５，１６  タイミング遅延部、２１  通信部、２１ａ  受信部、２１ｂ  送信部、２２  通信部、２２ａ  受信部、２２ｂ  送信部、２３  制御部、２４  遅延クラス出力部、３１  クライアント部、３２  遅延クラス記憶部、３３  遅延クラス設定部、５１  制御回路、５２，５３  基地局回路、５４  タイミング発振回路、５５  タイミング遅延回路、６１  メモリ、６２  プロセッサ。
【図１】
2017183240.tif 000003
【図２】
2017183240.tif 000004
【図３】
2017183240.tif 000005
【図４】
2017183240.tif 000006
【図５】
2017183240.tif 000007
【図６】
2017183240.tif 000008
【図７】
2017183240.tif 000009
【図８】
2017183240.tif 000010
【図９】
2017183240.tif 000011
【図１０】
2017183240.tif 000012
【図１１】
2017183240.tif 000013
【図１２】
2017183240.tif 000014
【図１３】
2017183240.tif 000015
【図１４】
2017183240.tif 000016
【図１５】
2017183240.tif 000017
【図１６】
2017183240.tif 000018
【図１７】
2017183240.tif 000019
【国際調査報告】
2017183240.tif 000020
2017183240.tif 000021